(57)【特許請求の範囲】
【請求項１】
取得しているエキスポートライセンスに基づいて、コンテンツサーバから通信ネットワークを介してコンテンツを受信するコンテンツ受信部と、
前記コンテンツ受信部が受信している前記コンテンツをコンテンツ対象暗号鍵で暗号化するコンテンツ暗号化部と、
前記暗号化されたコンテンツを、順次可搬型記録メディアに直接エキスポートするコンテンツエキスポート部と、
前記暗号化されたコンテンツを復号するためのコンテンツ対象復号鍵を、独自に生成した復号鍵対象暗号鍵で暗号化する復号鍵暗号化部と、
前記暗号化されたコンテンツ対象復号鍵を前記可搬型記録メディアに記録する暗号化復号鍵書き出し部と、
前記可搬型記録メディアに既にエキスポートされた前記暗号化されたコンテンツを読み出すコンテンツ読み出し部と、
前記暗号化されたコンテンツ対象復号鍵を前記可搬型記録メディアから読み出す復号鍵読み出し部と、
前記復号鍵読み出し部によって読み出された前記暗号化されたコンテンツ対象復号鍵を、復号鍵対象復号鍵で復号する復号鍵復号部と、
前記復号鍵対象復号鍵を保持する復号鍵対象復号鍵保持部と、
前記復号鍵復号部によって復号された前記コンテンツ対象復号鍵を利用して、前記可搬型記録メディアから読み出された前記暗号化されたコンテンツを復号し再生するコンテンツ再生部と、
暗号化していない前記コンテンツ対象復号鍵を前記可搬型記録メディアに記録し、前記エキスポートライセンスを破棄する鍵制御部とを備え、
前記復号鍵対象復号鍵は、前記可搬型記録メディアへは記録されず、
前記コンテンツ読み出し部は、前記暗号化されたコンテンツが順次可搬型記録メディアへエキスポートされている際に、前記暗号化されたコンテンツを順次読み出し、
前記暗号化復号鍵書き出し部は、前記暗号化されたコンテンツが順次可搬型記録メディアへエキスポートされている際に、前記暗号化されたコンテンツ対象復号鍵を前記可搬型記録メディアに記録し、
前記鍵制御部は、前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する、コンテンツ受信端末。
【請求項２】
前記復号鍵対象復号鍵を独自に生成した他の暗号鍵によって暗号化する復号鍵対象復号鍵暗号化部を備え、
前記復号鍵対象暗号鍵は、前記復号鍵暗号化部によって独自に生成され、
前記暗号化復号鍵書き出し部は、前記復号鍵対象復号鍵が暗号化された場合、その暗号化された復号鍵対象復号鍵を前記可搬型記録メディアへ記録する、請求項１に記載のコンテンツ受信端末。
【請求項３】
取得しているエキスポートライセンスに基づいて、コンテンツサーバから通信ネットワークを介して受信するコンテンツを、コンテンツ対象暗号鍵で暗号化し、その暗号化したコンテンツを可搬型記録メディアに直接エキスポートすることができるコンテンツ受信端末における、前記コンテンツのエキスポート再生方法であって、
前記暗号化されたコンテンツを復号するためのコンテンツ対象復号鍵を、復号鍵対象暗号鍵で暗号化し、前記可搬型記録メディアに記録するとともに、前記暗号化されたコンテンツを順次エキスポートしていくコンテンツエキスポートステップと、
前記暗号化されたコンテンツを前記可搬型記録メディアに順次エキスポートしながら、前記暗号化されたコンテンツ対象復号鍵を前記可搬型メディアから読み出して復号鍵対象復号鍵で復号し、前記可搬型記録メディアに既にエキスポートされた前記暗号化されたコンテンツを読み出し、復号した前記コンテンツ対象復号鍵を利用して復号し再生する、コンテンツ再生ステップと、
暗号化していない前記コンテンツ対象復号鍵を前記可搬型記録メディアに記録し、前記エキスポートライセンスを破棄する復号鍵記録ステップとを備え、
前記コンテンツエキスポートステップでは、前記暗号化されたコンテンツを順次可搬型記録メディアへエキスポートしている際に、前記暗号化されたコンテンツ対象復号鍵を前記可搬型記録メディアに記録し、
前記復号鍵記録ステップでは、前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する、エキスポート再生方法。
【発明の詳細な説明】
【技術分野】
【０００１】
本発明は、通信ネットワークを介して映像配信サーバからコンテンツをダウンロードし、リムーバブルメディアにそのコンテンツをエキスポートするコンテンツ受信端末およびエキスポート再生方法等に関する。特に、映像・音声コンテンツをエキスポートする際の、コンテンツ受信端末およびエキスポート再生方法等に関するものである。
【背景技術】
【０００２】
近年、通信ネットワーク（通信回線）を用いた映像配信サービスが盛んになりつつある。映像コンテンツなどを配信するための映像配信サーバ、インターネットなどの宅外ネットワークと宅内ネットワークで構成される通信ネットワーク、および宅内ネットワークに接続された映像受信端末装置（以下、映像受信端末と称す）などで構成される映像配信システムにおいて、ユーザは、映像を視聴するための端末である映像受信端末を操作することにより、通信事業者や映像配信事業者の映像配信サーバで提供される、ＶＯＤ（Ｖｉｄｅｏ  Ｏｎ  Ｄｅｍａｎｄ）サービスや、ＩＰ（Ｉｎｔｅｒｎｅｔ  Ｐｒｏｔｏｃｏｌ）放送および映像ダウンロードサービスなどを利用することが可能となってきた。
【０００３】
図１２（ａ）に、従来の映像ダウンロードサービスにおける映像コンテンツの処理内容を説明する図を示す。
【０００４】
従来の映像ダウンロードサービスでは、図１２（ａ）に示すように、映像受信端末２００は、映像配信サーバ２１０から映像コンテンツをダウンロードして、内蔵されたＨＤＤ２０１内に蓄積する。
【０００５】
そして、映像受信端末２００は、その映像コンテンツを購入した際に取得した視聴ライセンスによりその映像コンテンツの再生が許可され、ＨＤＤ２０１に蓄積した映像コンテンツを復号化して出力することが可能となり、接続されたディスプレイ２０２などに出力させて視聴することができる。また、その映像コンテンツを他のメディアに書き込むことが許可されている場合には、ＨＤＤ２０１に蓄積した映像コンテンツを復号化し、エキスポート用の暗号化をした後、リムーバブルメディア２０３に書き込むこともできる。
【０００６】
また最近では、映像受信端末が、映像コンテンツを映像受信端末に挿入されたメディアに直接書き込む直接エキスポートサービスも利用できるようになってきた。
【０００７】
図１２（ｂ）に、従来の直接エキスポートサービスにおける映像コンテンツの処理内容を説明する図を示す。
【０００８】
直接エキスポートサービスでは、図１２（ａ）に示す内蔵するＨＤＤ２０１などに映像コンテンツを蓄積することなく、図１２（ｂ）に示す様に、映像受信端末２０５は、映像配信サーバ２１０からダウンロードする映像コンテンツを直接リムーバブルメディア２０３に記録する。
【０００９】
図１２（ｂ）に示すように、直接エキスポートサービスでは、映像受信端末２０５は、エキスポートライセンスを取得すると、そのライセンスに対応する映像コンテンツを直接リムーバブルメディア２０３に書き込むことが許可され、映像配信サーバ２１０から映像コンテンツをダウンロードしながら、バッファ２０６を介して復号化し、エキスポート用の暗号化をしてリムーバブルメディア２０３に書き込んでいく。バッファ２０６は、ダウンロードする映像コンテンツを連続して復号化および暗号化処理させるために必要な量の映像コンテンツのデータを一時的に記録するものであり、図１２（ａ）のＨＤＤ２０１のように、最終的に映像コンテンツが保持されるものではない。
【００１０】
映像ダウンロードサービスを利用する際、ユーザは映像コンテンツのダウンロードが完了した後に、映像コンテンツの再生操作を行う必要がある。なぜならダウンロードが完了していない状態で、ユーザによる再生操作を映像受信端末が許可してしまうと、映像コンテンツのダウンロードと再生を並行して行なうことになり、ダウンロード速度が遅い場合、再生が途中で途切れてしまう可能性があり、ユーザにいらぬ混乱を与えてしまう可能性があるからである。
【００１１】
しかし、映像コンテンツのダウンロードが完了するまで待たせることは、ユーザの利便性を低下させてしまう。このユーザの利便性の低下が生じないようにするため、映像コンテンツのダウンロード中に、並行してその映像コンテンツの再生を行えるプログレッシブダウンロード方法が提案されている（例えば、特許文献１参照）。
【００１２】
特許文献１におけるプログレッシブダウンロード方法では、映像受信端末が、ユーザの再生操作が入力された時に、ダウンロード中の映像コンテンツの現在のダウンロードデータ量および映像コンテンツのダウンロード速度と、映像コンテンツの再生速度を比較計算することにより、映像コンテンツの再生終了時にダウンロードが完了しているかを判定し、映像コンテンツの再生可否を判断している。
【００１３】
図１３（ａ）および図１３（ｂ）は、それぞれ、プログレッシブダウンロード実行時の、ダウンロードと再生動作の時間的な関係を表すグラフである。
【００１４】
グラフの縦軸はダウンロードする映像コンテンツのデータ量を表し、横軸は時間を示している。ＴＤ０はダウンロードの開始時を示し、ＴＤ１はダウンロードの完了時を示すものである。また、ＴＰ０およびＴＰ２は再生の開始時を示し、ＴＰ１およびＴＰ３は再生の終了時を示している。
【００１５】
ＴＤ０よりダウンロードが開始されるとダウンロード済みのダウンロードデータ量２２０は徐々に増加して、ＴＤ１でダウンロード完了となり、この時点でＨＤＤには映像コンテンツが１００％蓄積されることとなる。
【００１６】
図１３（ａ）の場合、ダウンロードが完了するＴＤ１より前のＴＰ０から映像コンテンツの再生を開始し、ダウンロードが完了するＴＤ１の後も再生は継続し、ＴＰ１において再生が完了する。再生される映像コンテンツの再生データ量２２１も時間とともに増加し、ＴＰ１で全データが使用される。
【００１７】
この場合、ＴＰ０にユーザの再生操作が入力されると、ダウンロード中の映像コンテンツの現在のダウンロードデータ量およびダウンロード速度と、映像コンテンツの再生速度を比較計算して、映像コンテンツの再生が終了するＴＰ１より前のＴＤ１に映像コンテンツのダウンロードが完了すると判断され、再生データ量２２１がダウンロードデータ量２２０を上回ることが無いので、ダウンロード中の映像コンテンツを再生可能と判断し、プログレッシブダウンロードを実行する。
【００１８】
一方、図１３（ｂ）は、映像コンテンツの再生を、図１３（ａ）のＴＰ０よりも前のＴＰ２から開始する場合を示しており、この場合には、ＴＰ２にユーザの再生操作が入力されると、ダウンロード中の映像コンテンツの現在のダウンロードデータ量およびダウンロード速度と、映像コンテンツの再生速度を比較計算して、映像コンテンツのダウンロードが完了するＴＤ１より前のＴＰ３に映像コンテンツの再生が終了すると判断され、ＴＸ以降は、再生データ量２２１がダウンロードデータ量２２０を上回ってしまい映像コンテンツの再生が継続できなくなってしまうことになる。
【００１９】
したがって、ユーザの再生操作受付時がＴＰ２であった図１３（ｂ）の場合には、ユーザに対して、ダウンロード中の映像コンテンツを再生できない旨を表示し、映像コンテンツの再生を行なわない。
【００２０】
以上のようにして、ユーザの再生操作受付時にダウンロード中の映像コンテンツの再生可否を判断して、プログレッシブダウンロードを実現していた。
【先行技術文献】
【特許文献】
【００２１】
【特許文献１】特開２００８−２７１１７０号公報
【発明の概要】
【発明が解決しようとする課題】
【００２２】
しかしながら、直接エキスポートサービスにおいて、映像コンテンツをダウンロードと並行して再生するプログレッシブエキスポートを実現するために、上記した従来のプログレッシブダウンロード技術を適用しただけでは、プログレッシブエキスポートが異常中断した際にエキスポートライセンスを消費してしまうという課題がある。
【００２３】
この課題を説明するために、まず、エキスポートと並行して映像コンテンツをリムーバブルメディアから読み出して再生を行うプログレッシブエキスポートを実行する上での一般的な前提条件を説明する。
【００２４】
（１）プログレッシブエキスポートは、リムーバブルメディアに記録された映像コンテンツを再生するため、リムーバブルメディアに映像コンテンツを復号するための鍵（コンテンツ鍵）を書き込まなければならない。
（２）図１２（ｂ）で説明したように、リムーバブルメディアに、映像コンテンツをエキスポートする際は、映像受信端末はエキスポートライセンスを取得する。映像受信端末はリムーバブルメディア内の映像コンテンツが一部分でも再生できる状態になったタイミングでエキスポートライセンスを消費し、映像受信端末内から削除する必要がある。
【００２５】
上記（１）および（２）の前提条件を踏まえると、エキスポート開始前およびプログレッシブエキスポート実行時における、エキスポートライセンス、コンテンツ鍵、および映像コンテンツの所在は、図１４に示すようになる。
【００２６】
図１４（ａ）および図１４（ｂ）は、図１２（ｂ）に示した映像受信端末２０５でプログレッシブエキスポートを実行する際の、エキスポート開始前およびプログレッシブエキスポート実行時における、エキスポートライセンス、コンテンツ鍵、および映像コンテンツの所在を示している。
【００２７】
図１４（ａ）に示すように、エキスポートを開始する前は、映像受信端末２０５は、エキスポートライセンス２１１およびコンテンツ鍵２１２を保持している。エキスポートライセンス２１１は、映像受信端末２０５がコンテンツをエキスポートするために用いられる。また、コンテンツ鍵２１２は、リムーバブルメディア２０３用に映像コンテンツを暗号化するために用いられるとともに、リムーバブルメディア２０３に暗号化されて記録された映像コンテンツを復号化するためにも用いられる。エキスポートライセンス２１１は、主に映像配信サーバ２１０から取得するが、映像配信サーバ２１０以外の機器から取得しても構わない。コンテンツ鍵２１２は、映像配信サーバ２１０から取得してもよいし、映像受信端末２０５の内部で生成してもよい。
【００２８】
そして、プログレッシブエキスポートの処理を開始した以降は、図１４（ｂ）に示すように、ダウンロード中の映像コンテンツ２１３が順次リムーバブルメディア２０３に記録されていくとともに、リムーバブルメディア２０３に記録された映像コンテンツ２１３を再生するために、前提条件（１）にしたがってコンテンツ鍵２１２もリムーバブルメディア２０３に記録される。また、コンテンツ鍵２１２がリムーバブルメディア２０３に記録されたことにより、既にリムーバブルメディア２０３に記録された映像コンテンツ２１３の部分が再生可能となるため、前提条件（２）にしたがって映像受信端末２０５に保持していたエキスポートライセンス２１１は削除される。
【００２９】
したがって、プログレッシブエキスポート実行中に、映像受信端末２０５の電源断や他アプリの起動などにより、プログレッシブエキスポートが中断した場合、図１４（ｂ）に示すように、リムーバブルメディア２０３には、エキスポート途中の映像コンテンツ２１３とコンテンツ鍵２１２が書き込まれており、映像受信端末２０５からは、エキスポートライセンス２１１が削除された状態となる。この状態から再度エキスポート処理を継続する場合には、別のエキスポートライセンスが必要となる。つまり１つの映像コンテンツに対して、２つ以上のエキスポートライセンスを消費することになる。これはユーザの利益を著しく低下させるものである。
【００３０】
本発明は、このような課題を鑑みてなされたものであり、映像コンテンツのプログレッシブエキスポート処理が異常中断した場合でも、エキスポートライセンスを消費せずにエキスポート処理を継続できる、コンテンツ受信端末、エキスポート再生方法等を提供することを目的とする。
【課題を解決するための手段】
【００３１】
上述した課題を解決するために、第１の本発明は、
取得しているエキスポートライセンスに基づいて、コンテンツサーバから通信ネットワークを介してコンテンツを受信するコンテンツ受信部と、
前記コンテンツ受信部が受信している前記コンテンツをコンテンツ対象暗号鍵で暗号化するコンテンツ暗号化部と、
前記暗号化されたコンテンツを、順次可搬型記録メディアに直接エキスポートするコンテンツエキスポート部と、
前記暗号化されたコンテンツを復号するためのコンテンツ対象復号鍵を、独自に生成した復号鍵対象暗号鍵で暗号化する復号鍵暗号化部と、
前記暗号化されたコンテンツ対象復号鍵を前記可搬型記録メディアに記録する暗号化復号鍵書き出し部と、
前記可搬型記録メディアに既にエキスポートされた前記暗号化されたコンテンツを読み出すコンテンツ読み出し部と、
前記暗号化されたコンテンツ対象復号鍵を前記可搬型記録メディアから読み出す復号鍵読み出し部と、
前記復号鍵読み出し部によって読み出された前記暗号化されたコンテンツ対象復号鍵を、復号鍵対象復号鍵で復号する復号鍵復号部と、
前記復号鍵対象復号鍵を保持する復号鍵対象復号鍵保持部と、
前記復号鍵復号部によって復号された前記コンテンツ対象復号鍵を利用して、前記可搬型記録メディアから読み出された前記暗号化されたコンテンツを復号し再生するコンテンツ再生部と、
暗号化していない前記コンテンツ対象復号鍵を前記可搬型記録メディアに記録し、前記エキスポートライセンスを破棄する鍵制御部とを備え、
前記復号鍵対象復号鍵は、前記可搬型記録メディアへは記録されず、
前記コンテンツ読み出し部は、前記暗号化されたコンテンツが順次可搬型記録メディアへエキスポートされている際に、前記暗号化されたコンテンツを順次読み出し、
前記暗号化復号鍵書き出し部は、前記暗号化されたコンテンツが順次可搬型記録メディアへエキスポートされている際に、前記暗号化されたコンテンツ対象復号鍵を前記可搬型記録メディアに記録し、
前記鍵制御部は、前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する、コンテンツ受信端末である。
また、第２の本発明は、
前記復号鍵対象復号鍵を独自に生成した他の暗号鍵によって暗号化する復号鍵対象復号鍵暗号化部を備え、
前記復号鍵対象暗号鍵は、前記復号鍵暗号化部によって独自に生成され、
前記暗号化復号鍵書き出し部は、前記復号鍵対象復号鍵が暗号化された場合、その暗号化された復号鍵対象復号鍵を前記可搬型記録メディアへ記録する、上記第１の本発明のコンテンツ受信端末である。
また、第３の本発明は、
取得しているエキスポートライセンスに基づいて、コンテンツサーバから通信ネットワークを介して受信するコンテンツを、コンテンツ対象暗号鍵で暗号化し、その暗号化したコンテンツを可搬型記録メディアに直接エキスポートすることができるコンテンツ受信端末における、前記コンテンツのエキスポート再生方法であって、
前記暗号化されたコンテンツを復号するためのコンテンツ対象復号鍵を、復号鍵対象暗号鍵で暗号化し、前記可搬型記録メディアに記録するとともに、前記暗号化されたコンテンツを順次エキスポートしていくコンテンツエキスポートステップと、
前記暗号化されたコンテンツを前記可搬型記録メディアに順次エキスポートしながら、前記暗号化されたコンテンツ対象復号鍵を前記可搬型メディアから読み出して復号鍵対象復号鍵で復号し、前記可搬型記録メディアに既にエキスポートされた前記暗号化されたコンテンツを読み出し、復号した前記コンテンツ対象復号鍵を利用して復号し再生する、コンテンツ再生ステップと、
暗号化していない前記コンテンツ対象復号鍵を前記可搬型記録メディアに記録し、前記エキスポートライセンスを破棄する復号鍵記録ステップとを備え、
前記コンテンツエキスポートステップでは、前記暗号化されたコンテンツを順次可搬型記録メディアへエキスポートしている際に、前記暗号化されたコンテンツ対象復号鍵を前記可搬型記録メディアに記録し、
前記復号鍵記録ステップでは、前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する、エキスポート再生方法である。
また、本発明に関連する第１発明は、
取得しているエキスポートライセンスに基づいて、コンテンツサーバから通信ネットワークを介してコンテンツを受信するコンテンツ受信部と、
前記コンテンツ受信部が受信している前記コンテンツをコンテンツ対象暗号鍵で暗号化するコンテンツ暗号化部と、
前記暗号化されたコンテンツを、順次可搬型記録メディアに直接エキスポートするコンテンツエキスポート部と、
前記暗号化されたコンテンツを復号するためのコンテンツ対象復号鍵を、独自に生成した復号鍵対象暗号鍵で暗号化する復号鍵暗号化部と、
前記暗号化されたコンテンツ対象復号鍵を前記可搬型記録メディアに記録する暗号化復号鍵書き出し部と、
前記可搬型記録メディアに既にエキスポートされた前記暗号化されたコンテンツを読み出すコンテンツ読み出し部と、
前記暗号化されたコンテンツ対象復号鍵を前記可搬型記録メディアから読み出す復号鍵読み出し部と、
前記復号鍵読み出し部によって読み出された前記暗号化されたコンテンツ対象復号鍵を、復号鍵対象復号鍵で復号する復号鍵復号部と、
前記復号鍵対象復号鍵を保持する復号鍵対象復号鍵保持部と、
前記復号鍵復号部によって復号された前記コンテンツ対象復号鍵を利用して、前記可搬型記録メディアから読み出された前記暗号化されたコンテンツを復号し再生するコンテンツ再生部とを備え、
前記復号鍵対象復号鍵は、前記可搬型記録メディアへは記録されず、
前記コンテンツ読み出し部は、前記暗号化されたコンテンツが順次可搬型記録メディアへエキスポートされている際に、前記暗号化されたコンテンツを順次読み出す、コンテンツ受信端末である。
【００３２】
また、本発明に関連する第２発明は、
前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する、復号鍵書き出し破棄部を備えた、本発明に関連する第１発明のコンテンツ受信端末である。
【００３３】
また、本発明に関連する第３発明は、
前記復号鍵対象復号鍵を独自に生成した他の暗号鍵によって暗号化する復号鍵対象復号鍵暗号化部を備え、
前記復号鍵対象暗号鍵は、前記復号鍵暗号化部によって独自に生成され、
前記暗号化復号鍵書き出し部は、前記復号鍵対象復号鍵が暗号化された場合、その暗号化された復号鍵対象復号鍵を前記可搬型記録メディアへ記録する、本発明に関連する第１または第２発明のコンテンツ受信端末である。
【００３４】
また、本発明に関連する第４発明は、
取得しているエキスポートライセンスに基づいて、コンテンツサーバから通信ネットワークを介して受信するコンテンツを、コンテンツ対象暗号鍵で暗号化し、その暗号化したコンテンツを可搬型記録メディアに直接エキスポートすることができるコンテンツ受信端末における、前記コンテンツのエキスポート再生方法であって、
前記暗号化されたコンテンツを復号するためのコンテンツ対象復号鍵を、復号鍵対象暗号鍵で暗号化し、前記可搬型記録メディアに記録するとともに、前記暗号化されたコンテンツを順次エキスポートしていくコンテンツエキスポートステップと、
前記暗号化されたコンテンツを前記可搬型記録メディアに順次エキスポートしながら、前記暗号化されたコンテンツ対象復号鍵を前記可搬型メディアから読み出して復号鍵対象復号鍵で復号し、前記可搬型記録メディアに既にエキスポートされた前記暗号化されたコンテンツを読み出し、復号した前記コンテンツ対象復号鍵を利用して復号し再生する、コンテンツ再生ステップとを備えた、エキスポート再生方法である。
【００３５】
また、本発明に関連する第５発明は、
前記暗号化されたコンテンツの前記可搬型記録メディアへのエキスポートが完了した際に、暗号化していない前記コンテンツ対象復号鍵を前記可搬型記録メディアに記録し、前記エキスポートライセンスを破棄する復号鍵記録ステップを備えた、本発明に関連する第４発明のエキスポート再生方法である。
【００３６】
また、本発明に関連する第６発明は、
本発明に関連する第４発明のエキスポート再生方法の、前記暗号化されたコンテンツを復号するためのコンテンツ対象復号鍵を、復号鍵対象暗号鍵で暗号化し、前記可搬型記録メディアに記録するとともに、前記暗号化されたコンテンツを順次エキスポートしていく前記コンテンツエキスポートステップ、および、前記暗号化されたコンテンツを前記可搬型記録メディアに順次エキスポートしながら、前記暗号化されたコンテンツ対象復号鍵を前記可搬型メディアから読み出して復号鍵対象復号鍵で復号し、前記可搬型記録メディアに既にエキスポートされた前記暗号化されたコンテンツを読み出し、復号した前記コンテンツ対象復号鍵を利用して復号し再生する、前記コンテンツ再生ステップをコンピュータに実行させるプログラムを記録した記録媒体であって、コンピュータにより処理可能な記録媒体である。
【発明の効果】
【００３７】
本発明により、映像コンテンツのプログレッシブエキスポート処理が異常中断した場合でも、エキスポートライセンスを消費せずにエキスポート処理を継続できる、コンテンツ受信端末、エキスポート再生方法等を提供できる。
【図面の簡単な説明】
【００３８】
【図１】本発明の実施の形態１の映像受信端末の構成を示すブロック図
【図２】本発明の実施の形態１における、映像コンテンツ直接エキスポート時の映像受信端末および映像配信サーバの動作および通信シーケンスを示した図
【図３】本発明の実施の形態１の、映像コンテンツ直接エキスポート時の映像受信端末における直接エキスポート実行手順を示すフローチャート
【図４】（ａ）本発明の実施の形態１の映像受信端末において、直接エキスポートを実行する際の、直接エキスポート処理時におけるエキスポートライセンス、コンテンツ鍵および映像コンテンツの所在を示す図、（ｂ）本発明の実施の形態１の映像受信端末において、直接エキスポートを実行する際の、エキスポート完了後の、エキスポートライセンス、コンテンツ鍵および映像コンテンツの所在を示す図
【図５】本発明の実施の形態１における、映像コンテンツプログレッシブエキスポート時の映像受信端末および映像配信サーバの動作および通信シーケンスを示した図
【図６】本発明の実施の形態１の、映像コンテンツプログレッシブエキスポート時の映像受信端末におけるプログレッシブエキスポート実行手順を示すフローチャート
【図７】（ａ）本発明の実施の形態１の映像受信端末において、プログレッシブエキスポートを実行する際の、プログレッシブエキスポート処理時におけるエキスポートライセンス、コンテンツ鍵および映像コンテンツの所在を示す図、（ｂ）本発明の実施の形態１の映像受信端末において、プログレッシブエキスポートを実行する際の、エキスポート完了後の、エキスポートライセンス、コンテンツ鍵および映像コンテンツの所在を示す図
【図８】本発明に関連する発明の実施の形態２の映像受信端末の構成を示すブロック図
【図９】本発明に関連する発明の実施の形態２における、映像コンテンツプログレッシブエキスポート時の映像受信端末および映像配信サーバの動作および通信シーケンスを示した図
【図１０】本発明に関連する発明の実施の形態２の、映像コンテンツプログレッシブエキスポート時の映像受信端末におけるプログレッシブエキスポート実行手順を示すフローチャート
【図１１】（ａ）本発明に関連する発明の実施の形態２の映像受信端末において、プログレッシブエキスポートを実行する際の、プログレッシブエキスポート処理時におけるエキスポートライセンス、コンテンツ鍵および映像コンテンツの所在を示す図、（ｂ）本発明に関連する発明の実施の形態２の映像受信端末において、プログレッシブエキスポートを実行する際の、エキスポート完了後の、エキスポートライセンス、コンテンツ鍵および映像コンテンツの所在を示す図
【図１２】（ａ）従来の映像ダウンロードサービスにおける映像コンテンツの処理内容を説明するための図、（ｂ）従来の直接エキスポートサービスにおける映像コンテンツの処理内容を説明するための図
【図１３】（ａ）、（ｂ）プログレッシブダウンロード実行時の、ダウンロードと再生動作の時間的な関係を表すグラフ
【図１４】（ａ）従来のプログレッシブダウンロード技術を適用してプログレッシブエキスポートを実行する際の、エキスポート開始前におけるエキスポートライセンス、コンテンツ鍵および映像コンテンツの所在を示す図、（ｂ）従来のプログレッシブダウンロード技術を適用してプログレッシブエキスポートを実行する際の、プログレッシブエキスポート実行時における、エキスポートライセンス、コンテンツ鍵および映像コンテンツの所在を示す図
【発明を実施するための形態】
【００３９】
以下に、本発明および本発明に関連する発明を実施するための形態について、図面を参照しながら説明する。
【００４０】
（実施の形態１）
図１は、本発明の実施の形態１の映像受信端末の構成を示すブロック図である。
【００４１】
図１において本実施の形態１の映像受信端末１００は、データ取得送信部１０１、ネットワークＩ／Ｆ部１０２、制御部１０３、鍵制御部１０４、鍵保存部１０５、表示部１０６、ユーザ操作受付部１０７、受信バッファ１０９、受信コンテンツ復号部１１０、コンテンツ暗号化部１１１、コンテンツ鍵暗号化部１１２、コンテンツ鍵復号部１１３、コンテンツ復号部１１４およびコンテンツデコード部１１５を備えており、ユーザがプログレッシブエキスポートを行う場合に、エキスポートライセンスを消費せずにプログレッシブエキスポートを行う機能を有する。
【００４２】
また、映像受信端末１００は、リムーバブルメディア部１０８を装着できるようになっている。リムーバブルメディア部１０８は、映像コンテンツを記録するメディアである。このメディアとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ（登録商標））、ＳＤメモリーカード（Ｓｅｃｕｒｅ  Ｄｉｇｉｔａｌ  Ｍｅｍｏｒｙ  Ｃａｒｄ）、メモリースティックなどが考えられるが、これらに限定されるものではない。通常、このリムーバブルメディア部１０８は可搬型のものである。
【００４３】
なお、映像受信端末１００は、通信事業者や映像配信事業者などが提供する映像ダウンロードサービスや直接エキスポートサービスにおける映像コンテンツを、通信ネットワークを介して受信できる機能や、映像コンテンツをリムーバブルメディアにエキスポートできる機能を有する映像受信端末であり、このような映像受信端末１００としては、デジタルテレビ、セットトップボックスおよびパーソナルコンピュータなどが考えられるが、これらに限定されるものではない。
【００４４】
図１において、破線で示す矢印は、映像コンテンツおよびライセンスや暗号鍵・復号鍵などのデータの流れを示しており、実線で示す矢印は制御情報などのその他の情報の流れを示している。
【００４５】
ネットワークＩ／Ｆ部１０２は、外部通信ネットワークを介して、通信事業者や映像配信事業者などが提供する映像配信サーバ１２０に接続されている。
【００４６】
データ取得送信部１０１は、ネットワークＩ／Ｆ部１０２を介して映像配信サーバ１２０から送信される映像コンテンツおよびライセンス情報を受信し、また、制御部１０３から指示されるデータをネットワークＩ／Ｆ部１０２を介して映像配信サーバ１２０へ送信する。
【００４７】
制御部１０３は、映像受信端末１００内の各操作における制御を行う。
【００４８】
鍵制御部１０４は、映像受信端末１００内の鍵情報の管理・制御を行う。
【００４９】
鍵保存部１０５は、映像配信サーバ１２０から受信した暗号鍵・復号鍵等や、映像受信端末１００が生成した暗号鍵・復号鍵等の保存を行う。
【００５０】
表示部１０６は、制御部１０３より表示要求のあったデータやデコードした映像コンテンツを表示する。
【００５１】
ユーザ操作受付部１０７は、ユーザのリモコン操作などによる外部からの映像コンテンツエキスポート要求または映像コンテンツの再生要求を受け付け、受け付けた映像コンテンツエキスポート要求または映像コンテンツの再生要求を制御部１０３へ送信する。
【００５２】
受信バッファ１０９は、ダウンロード中の映像コンテンツのデータを受信コンテンツ復号部１１０及びコンテンツ暗号化部１１１に処理させるために必要量のデータを一時記録するバッファであり、ＲＡＭなどが使用される。
【００５３】
受信コンテンツ復号部１１０は、映像配信サーバ１２０からダウンロードされてくる映像コンテンツを、受信バッファ１０９を介してデータ取得送信部１０１から受け取り、一方で鍵制御部１０４から映像コンテンツ復号用の復号鍵を受け取り、復号する。
【００５４】
コンテンツ暗号化部１１１は、受信コンテンツ復号部１１０で復号された映像コンテンツのデータに対してリムーバブルメディア部１０８にエキスポートするための暗号化を行う。コンテンツ暗号化部１１１はコンテンツ暗号用の鍵を鍵制御部１０４から受け取る。
【００５５】
なお、コンテンツ暗号化部１１１が、エキスポートするために映像コンテンツを暗号化する際に利用するコンテンツ暗号用の鍵が、本発明のコンテンツ対象暗号鍵の一例にあたる。
【００５６】
コンテンツ鍵暗号化部１１２は、リムーバブルメディア部１０８に格納された映像コンテンツを復号するコンテンツ復号用の鍵を、鍵制御部１０４から受け取り、映像受信端末１００が独自に生成する暗号鍵により、暗号化し、暗号化されたコンテンツ復号用の鍵をリムーバブルメディア部１０８へ書き込む。
尚、本明細書では、コンテンツ暗号化部１１１が用いる上記コンテンツ暗号用の鍵は、リムーバブルメディア部１０８に暗号化されて格納された映像コンテンツを復号するコンテンツ復号用の鍵と、全く同じ鍵であるので、以降、単に「コンテンツ鍵」と呼ぶ。
【００５７】
なお、リムーバブルメディア部１０８に暗号化されて格納された映像コンテンツを復号する鍵すなわちコンテンツ鍵が、本発明のコンテンツ対象復号鍵の一例にあたる。また、コンテンツ鍵暗号化部１１２がこのコンテンツ鍵を暗号化するために利用する、映像受信端末１００が独自に生成する暗号鍵が、本発明の復号鍵対象暗号鍵の一例にあたる。
【００５８】
コンテンツ鍵復号部１１３は、リムーバブルメディア部１０８から、暗号化されたコンテンツ鍵と、鍵制御部１０４から復号用の鍵を受け取り、コンテンツ鍵を復号する。
【００５９】
なお、暗号化されたコンテンツ鍵を復号するために、コンテンツ鍵復号部１１３が鍵制御部１０４から受け取る復号用の鍵が、本発明の復号鍵対象復号鍵の一例にあたる。
【００６０】
コンテンツ復号部１１４はリムーバブルメディア部１０８から映像コンテンツを受け取り、一方で、コンテンツ鍵復号部１１３からコンテンツ鍵を受け取り、映像コンテンツを復号する。
【００６１】
コンテンツデコード部１１５は、コンテンツ復号部１１４から復号された映像コンテンツを受け取り、デコードする。デコードしたデータは表示部１０６にて表示される。
【００６２】
なお、映像受信端末１００が、本発明のコンテンツ受信端末の一例にあたり、映像配信サーバ１２０が、本発明のコンテンツサーバの一例にあたる。また、映像配信サーバ１２０からダウンロードされる映像コンテンツが、本発明のコンテンツの一例にあたる。また、リムーバブルメディア部１０８が、本発明の可搬型記録メディアの一例にあたる。また、データ取得送信部１０１が、本発明のコンテンツ受信部の一例にあたる。また、受信バッファ１０９、受信コンテンツ復号部１１０およびコンテンツ暗号化部１１１を合わせた構成が、本発明のコンテンツエキスポート部の一例にあたる。また、コンテンツ鍵暗号化部１１２が、本発明の復号鍵暗号化部および暗号化復号鍵書き出し部の機能を備えた構成の一例にあたる。また、コンテンツ鍵復号部１１３が、本発明の復号鍵読み出し部および復号鍵復号部の機能を備えた構成の一例にあたる。また、コンテンツ復号部１１４が、本発明のコンテンツ読み出し部の一例にあたり、コンテンツ復号部１１４とコンテンツデコード部１１５を合わせた構成が、本発明のコンテンツ再生部の一例にあたる。
【００６３】
次に、映像受信端末１００における映像コンテンツの直接エキスポート時の実行手順と、コンテンツエキスポート中のプログレッシブエキスポート実行手順のそれぞれについて説明する。
【００６４】
まず、図１〜図３を用いて映像受信端末１００における映像コンテンツの直接エキスポート時の実行手順について説明する。
【００６５】
図２は、直接エキスポート時の映像受信端末１００および映像配信サーバ１２０における動作および通信シーケンスを示している。図３は直接エキスポート時の映像受信端末１００におけるエキスポートを行う手順を示すフローチャートである。
【００６６】
映像配信サーバ１２０から提供される映像コンテンツの詳細な情報が表示されている画面において、ユーザは画面上を操作し、映像コンテンツのエキスポートを実行する。するとユーザ操作受付部１０７はユーザからのコンテンツエキスポート要求（コンテンツエキスポート指示３００）を受け取る（ステップＳ１０１）。
【００６７】
ユーザからのコンテンツエキスポート要求を受け付けたユーザ操作受付部１０７は、コンテンツエキスポート要求を制御部１０３に送信する。制御部１０３は、データ取得送信部１０１によってエキスポートライセンス要求３０１を映像配信サーバ１２０へ送信させる。エキスポートライセンス要求３０１を受信した映像配信サーバ１２０は、映像受信端末１００へエキスポートライセンスを発行してよいか確認を行い（ライセンス確認処理３０２）、確認結果がＯＫならばエキスポートライセンス応答３０３を映像受信端末１００へ返す。エキスポートライセンスを取得した映像受信端末１００内の鍵制御部１０４は、エキスポートライセンスを鍵保存部１０５に保存しておき、エキスポートライセンスに含まれる暗号鍵を受信コンテンツ復号部１１０に設定する。（ステップＳ１０２）。
【００６８】
次に制御部１０３は、データ取得送信部１０１によってコンテンツダウンロード要求３０４を送信させる。コンテンツダウンロード要求３０４を受信した映像配信サーバ１２０は、映像受信端末１００へコンテンツダウンロード応答３０５を返す（ステップＳ１０３）。すなわち、映像配信サーバ１２０から映像受信端末１００への映像コンテンツデータのダウンロードが開始する。
【００６９】
映像配信サーバ１２０から映像コンテンツの受信を開始した映像受信端末１００内の鍵制御部１０４はリムーバブルメディア部１０８へ映像コンテンツをエキスポートするために、上述したコンテンツ鍵を生成する。鍵制御部１０４はコンテンツ鍵を鍵保存部１０５に保存すると同時にコンテンツ鍵をコンテンツ暗号化部１１１に設定する（コンテンツ鍵生成３０６）。映像受信端末１００がダウンロードした映像コンテンツは、受信コンテンツ復号部１１０にて復号され、次にコンテンツ暗号化部１１１にてコンテンツ鍵を用いてリムーバブルメディア用に暗号化され（コンテンツ暗号変換３０７）、リムーバブルメディア部１０８に格納される（コンテンツエキスポート３０８）（ステップＳ１０４）。なお、コンテンツ鍵の取得方法には、上記のような映像受信端末１００が生成する以外に、映像配信サーバ１２０から取得する、なども考えられるが、これに限定されるものではない。
【００７０】
映像コンテンツが最後までリムーバブルメディア部１０８にエキスポートされた場合、鍵制御部１０４は、リムーバブルメディア部１０８にコンテンツ鍵を書き込む（コンテンツ鍵書き込み３０９）とともに、鍵保存部１０５に保存させていたエキスポートライセンスを削除する（ステップＳ１０５）。これにより他の再生端末でリムーバブルメディア部１０８内の映像コンテンツを再生することが可能になる。
【００７１】
図４（ａ）および図４（ｂ）は、本実施の形態１の映像受信端末１００で直接エキスポートを実行する際の、直接エキスポート処理時およびエキスポート完了後における、エキスポートライセンス、コンテンツ鍵、および映像コンテンツの所在を示している。
【００７２】
図４（ａ）に示すように、直接エキスポート処理時には、ダウンロード中の映像コンテンツ１５１を順次リムーバブルメディア部１０８に記録していく。この際、コンテンツ鍵１５２はリムーバブルメディア部１０８へ記録しないので、直接エキスポート処理が異常中断しても、そのリムーバブルメディア部１０８に記録されている映像コンテンツ１５１は、映像受信端末１００以外の再生端末では再生できない。したがって、直接エキスポート処理中は、映像受信端末１００が取得したエキスポートライセンス１５０は削除する必要がなく、鍵保存部１０５に保持されている。
【００７３】
そして、直接エキスポート処理を完了した後は、図４（ｂ）に示すように、リムーバブルメディア部１０８に記録した映像コンテンツ１５１を他の再生端末でも再生できるようにするために、コンテンツ鍵１５２をリムーバブルメディア１０８に記録するとともに、映像受信端末１００の鍵保存部１０５に保存させていたエキスポートライセンス１５０を削除する。
【００７４】
なお、上記では、映像受信端末１００が映像配信サーバ１２０から映像コンテンツをダウンロードし、そのままリムーバブルメディア部１０８にエキスポートする直接エキスポートサービスについて説明したが、映像受信端末１００内にある映像コンテンツをリムーバブルメディア部１０８に書き込む、単なるエキスポートでも、エキスポートライセンスの取得、メディアの書き出しの処理は同様である。
【００７５】
次に、図１、図５および図６を用いて映像受信端末１００におけるコンテンツエキスポート中のプログレッシブエキスポート実行手順について説明する。
【００７６】
図５はプログレッシブエキスポート時の映像受信端末１００および映像配信サーバ１２０における動作および通信シーケンスを示している。
【００７７】
図２を用いて説明した直接エキスポート時の処理における、エキスポートライセンスを取得し、コンテンツ鍵を生成して保存し、ダウンロードした映像コンテンツを暗号化してリムーバブルメディア部１０８に順次格納していくまでの処理（図２における、コンテンツエキスポート指示３００からコンテンツエキスポート３０８までの処理）は同様であり、図５では、コンテンツ暗号変換３０７までの処理の記載は省略し、コンテンツエキスポート３０８以降の処理について記載している。
【００７８】
コンテンツ暗号変換３０７までの処理は、図２に示した直接エキスポートの場合と同様なので説明を省略し、ここでは、プログレッシブエキスポート実行手順のコンテンツエキスポート３０８以降の処理について説明する。
【００７９】
図６はプログレッシブエキスポート時の映像受信端末１００におけるプログレッシブエキスポートを行う手順を示すフローチャートである。
【００８０】
映像受信端末１００がリムーバブルメディア部１０８にコンテンツをエキスポート中（コンテンツエキスポート３０８）に、ユーザはリモコンなどを操作し、リムーバブルメディア部１０８に蓄積中の映像コンテンツに対して、コンテンツ再生を指示する。ユーザ操作受付部１０７は、ユーザからのコンテンツ再生要求（コンテンツ再生指示３１０）を受け取る（ステップＳ２０１）。
【００８１】
ユーザからのコンテンツ再生要求を受け付けたユーザ操作受付部１０７は、コンテンツ再生要求を制御部１０３に送信する。制御部１０３は、プログレッシブエキスポートを行う旨を鍵制御部１０４へ送信する。鍵制御部１０４は、コンテンツ鍵の暗号化を行うための暗号鍵を生成（コンテンツ鍵用暗号鍵生成３１１）し、鍵保存部１０５へ保存する（ステップＳ２０２）。
【００８２】
なお、前述したように、このときに鍵制御部１０４が生成する、コンテンツ鍵の暗号化を行うための暗号鍵が、本発明の復号鍵対象暗号鍵の一例にあたる。
【００８３】
鍵保存部１０５へ暗号鍵を保存すると同時に、鍵制御部１０４は、映像コンテンツに対応するコンテンツ鍵を鍵保存部１０５から取り出し、コンテンツ鍵と暗号鍵をコンテンツ鍵暗号化部１１２へ格納する。コンテンツ鍵暗号化部１１２はコンテンツ鍵を暗号鍵で暗号化する（コンテンツ鍵暗号３１２）。暗号化されたコンテンツ鍵は、リムーバブルメディア部１０８へ書き込まれる（暗号化コンテンツ鍵書き込み３１３）（ステップＳ２０３）。コンテンツ鍵暗号化部１１２は、リムーバブルメディア部１０８に暗号化されたコンテンツ鍵は書き込むが、暗号鍵は書き込まない。ここでの重要な点は、リムーバブルメディア部１０８に書き込まれた暗号化されたコンテンツ鍵は、プログレッシブエキスポートを行っている端末（この場合には、映像受信端末１００のみ）でしか正しく復号できないという点である。
【００８４】
次に、鍵制御部１０４はリムーバブルメディア部１０８から暗号化されたコンテンツ鍵を読み出し（暗号化コンテンツ鍵読み出し３１４）、コンテンツ鍵復号部１１３に設定する（ステップＳ２０４）。
【００８５】
また、鍵制御部１０４は同時に鍵保存部１０５からコンテンツ鍵に暗号を施した暗号鍵を取得し、コンテンツ鍵復号部１１３へ設定する。コンテンツ鍵復号部１１３は、暗号鍵を使用し暗号化されたコンテンツ鍵を復号する（コンテンツ鍵復号３１５）。コンテンツ鍵復号部１１３は、復号したコンテンツ鍵を、コンテンツ復号部１１４へ格納する（ステップＳ２０５）。
【００８６】
なお、前述したように、コンテンツ鍵復号部１１３が、暗号化されたコンテンツ鍵を復号するために使用する暗号鍵が、本発明の復号鍵対象復号鍵の一例にあたる。
【００８７】
なお、本実施の形態１では、本発明の復号鍵対象暗号鍵の一例および復号鍵対象復号鍵の一例として同一の暗号鍵を用いることとしているが、本発明の復号鍵対象復号鍵の別の一例として、本発明の復号鍵対象暗号鍵とは異なる、本発明の復号鍵対象暗号鍵と予め定められた対応関係を有する復号鍵を用いるようにしてもよい。
【００８８】
コンテンツ鍵の復号が完了したら、映像受信端末１００は、リムーバブルメディア部１０８から映像コンテンツを読み出し（コンテンツ読み出し３１６）、コンテンツ復号部１１４へ送る。コンテンツ復号部１１４は、コンテンツ鍵復号部１１３で復号されたコンテンツ鍵を使用し映像コンテンツを復号する。コンテンツ復号部１１４は、復号した映像コンテンツをコンテンツデコード部１１５へ送る。コンテンツデコード部１１５は、映像コンテンツの復号データをデコードし、表示部１０６にて表示する（コンテンツ再生３１７）（ステップＳ２０６）。
【００８９】
映像コンテンツが最後までリムーバブルメディア部１０８にエキスポートされた場合、鍵制御部１０４は、リムーバブルメディア部１０８にコンテンツ鍵を書き込む（コンテンツ鍵書き込み３０９）とともに、鍵保存部１０５に保存させていたエキスポートライセンスを削除する（ステップＳ２０７）。このときには、鍵制御部１０４が生成した暗号鍵による暗号化を行なっていないコンテンツ鍵をリムーバブルメディア部１０８に書き込む。これにより他の再生端末でリムーバブルメディア部１０８内の映像コンテンツを再生することが可能になる。
【００９０】
図７（ａ）および図７（ｂ）は、本実施の形態１の映像受信端末１００でプログレッシブエキスポートを実行する際の、プログレッシブエキスポート処理時およびエキスポート完了後における、エキスポートライセンス、コンテンツ鍵、および映像コンテンツの所在を示している。
【００９１】
図７（ａ）に示すように、プログレッシブエキスポート処理時には、ダウンロード中の映像コンテンツ１５１を順次リムーバブルメディア部１０８に記録していく。この際、リムーバブルメディア部１０８に記録済みの映像コンテンツ１５１を映像受信端末１００で再生するために、暗号化されたコンテンツ鍵１５３をリムーバブルメディア部１０８に記録している。
【００９２】
暗号化されたコンテンツ鍵１５３は他の再生端末では復号できないので、リムーバブルメディア部１０８へのエキスポート処理が異常中断した場合に、そのエキスポート処理途中のリムーバブルメディア部１０８を他の再生端末に挿入しても、その再生端末ではリムーバブルメディア部１０８に記録途中であった映像コンテンツ１５１を再生できない。プログレッシブエキスポート処理中のリムーバブルメディア部１０８の映像コンテンツ１５１は他の再生端末では再生できないので、映像受信端末１００は、プログレッシブエキスポート処理中には取得したエキスポートライセンス１５０を削除する必要がなく、鍵保存部１０５に保持している。
【００９３】
そして、直接エキスポート処理を完了した後は、図７（ｂ）に示すように、リムーバブルメディア部１０８に記録した映像コンテンツ１５１を他の再生端末でも再生できるようにするために、暗号化していないコンテンツ鍵１５２を記録するとともに、映像受信端末１００の鍵保存部１０５に保存させていたエキスポートライセンス１５０を削除する。このとき、リムーバブルメディア部１０８に記録する暗号化していないコンテンツ鍵１５２は、暗号化されたコンテンツ鍵１５３に上書きしてもよいし、暗号化されたコンテンツ鍵１５３とは別に記録してもよい。
【００９４】
なお、上記では、映像受信端末１００がコンテンツ鍵の暗号用に独自に生成した暗号鍵を鍵保存部１０５に保存したが、この暗号鍵をリムーバブルメディア部１０８に書き込むことも可能である。その際はそのままこの暗号鍵を格納すると、他の再生端末でも再生できてしまうため、映像受信端末１００の独自のルールでこの暗号鍵を再符号化する方法で実現することも可能である。
尚、映像受信端末１００の独自のルールでこの暗号鍵を再符号化する構成部分が、本発明の復号鍵対象復号鍵暗号化部の一例である。
【００９５】
また、リムーバブルメディア部１０８に暗号鍵を書き込むと、リムーバブルメディア部１０８内の映像コンテンツや暗号鍵を他のリムーバブルメディアにコピーすることで映像コンテンツの違法コピーが氾濫する恐れがある。そのため、映像受信端末１００はリムーバブルメディア部１０８に暗号鍵を書き込むときはメディアＩＤなどのリムーバブルメディア部１０８を識別する情報を映像受信端末１００内で保存することにより違法コピーの氾濫を防ぐことが可能である。
【００９６】
以上説明したように、本発明のコンテンツ受信端末は、プログレッシブエキスポート時に、リムーバブルメディアに書き込むコンテンツ対象復号鍵を、エキスポート処理を実行しているコンテンツ受信端末のみで復号できるように暗号化することで、他の再生端末での再生を防止することが出来る。それにより、映像配信サーバより取得したエキスポートライセンスの消費を行わなくてすむので、プログレッシブエキスポート処理が異常中断した場合でも、エキスポートライセンスを新たに取得することなくエキスポート処理を再開することが可能となる。
【００９７】
なお、本発明の構成は、ソフトウェア的に実現しても良いし、ハードウェア的に実現しても良い。
【００９８】
例えば、鍵制御部１０４、コンテンツ鍵暗号化部１１２、およびコンテンツ鍵復号部１１３などは、ハードウェアで実現させるよりも、プログラムをＣＰＵに実行させてソフトウェアで実現させることにより、本発明で利用する復号鍵対象暗号鍵および復号鍵対象復号鍵やこれらの暗号化方式の仕様変更などに容易に対応できる。
【００９９】
また、受信コンテンツ復号部１１０、コンテンツ暗号化部１１１、およびコンテンツ復号部１１４なども、ソフトウェアで実現することにより、映像コンテンツに対する暗号化方式の変更などに柔軟に対応できる。
【０１００】
なお、本発明の記録媒体は、上述したエキスポート再生方法の、前記暗号化されたコンテンツを復号するためのコンテンツ対象復号鍵を、復号鍵対象暗号鍵で暗号化し、前記可搬型記録メディアに記録するとともに、前記暗号化されたコンテンツを順次エキスポートしていく前記コンテンツエキスポートステップ、および、前記暗号化されたコンテンツを前記可搬型記録メディアに順次エキスポートしながら、前記暗号化されたコンテンツ対象復号鍵を前記可搬型メディアから読み出して復号鍵対象復号鍵で復号し、前記可搬型記録メディアに既にエキスポートされた前記暗号化されたコンテンツを読み出し、復号した前記コンテンツ対象復号鍵を利用して復号し再生する、前記コンテンツ再生ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１０１】
また、本発明の上記「ステップの動作」とは、前記ステップの全部または一部の動作を意味する。
【０１０２】
また、本発明の記録媒体に記録されるプログラムの一利用形態は、コンピュータにより読み取り可能な、ＲＯＭ等の記録媒体に記録され、コンピュータと協働して動作する態様であっても良い。
【０１０３】
また、本発明の記録媒体に記録されるプログラムの一利用形態は、インターネット等の伝送媒体、光・電波等の伝送媒体中を伝送し、コンピュータにより読みとられ、コンピュータと協働して動作する態様であっても良い。
【０１０４】
また、上述したコンピュータは、ＣＰＵ等の純然たるハードウェアに限らず、ファームウェアや、ＯＳ、更に周辺機器を含むものであっても良い。
【０１０５】
（実施の形態２）
次に、プログレッシブエキスポート処理が異常中断してもエキスポートライセンスを消費しない、他の形態の映像受信端末について説明する。
【０１０６】
図８に、実施の形態２の、本発明に関連する発明の映像受信端末の構成を示すブロック図を示す。
【０１０７】
図１に示した実施の形態１の映像受信端末１００と同じ構成部分には、同じ符号を用いている。実施の形態１の映像受信端末１００と同じ構成部分の説明は省略する。
【０１０８】
実施の形態２の映像受信端末１３０の構成は、実施の形態１の映像受信端末１００と比較して、コンテンツ鍵暗号化部１１２およびコンテンツ鍵復号部１１３を有しておらず、プログレッシブエキスポート処理時における鍵制御部１３１の処理が、実施の形態１の鍵制御部１０４の処理と異なる。
【０１０９】
実施の形態２の映像受信端末１３０は、直接エキスポート時の処理は実施の形態１の映像受信端末１００における処理と同じであり、コンテンツエキスポート中のプログレッシブエキスポート時の処理が映像受信端末１００における処理と異なる。
【０１１０】
実施の形態２の映像受信端末１３０における直接エキスポート時の処理は、図１〜図４を用いて説明した実施の形態１の映像受信端末１００における処理と同様なので説明を省略し、以下では、図８〜図１０を用いて実施の形態２の映像受信端末１３０におけるプログレッシブエキスポート時の実行手順について説明する。
【０１１１】
図９は、プログレッシブエキスポート時の映像受信端末１３０および映像配信サーバ１２０における動作および通信シーケンスを示している。
【０１１２】
図２を用いて説明した、実施の形態１の直接エキスポート時の処理における、エキスポートライセンスを取得し、コンテンツ鍵を生成して保存し、ダウンロードした映像コンテンツを暗号化してリムーバブルメディア部１０８に順次格納していくまでの処理（図２における、コンテンツエキスポート指示３００からコンテンツエキスポート３０８までの処理）は、実施の形態２の映像受信端末１３０の場合も同様であり、図９では、コンテンツ暗号変換３０７までの処理の記載は省略し、コンテンツエキスポート３０８以降の処理について記載している。
【０１１３】
コンテンツ暗号変換３０７までの処理は、図２に示した直接エキスポートの場合と同様なので説明を省略し、ここでは、プログレッシブエキスポート実行手順のコンテンツエキスポート３０８以降の処理について説明する。
【０１１４】
図１０は、プログレッシブエキスポート時の映像受信端末１３０におけるプログレッシブエキスポートを行う手順を示すフローチャートである。
【０１１５】
映像受信端末１３０がリムーバブルメディア部１０８にコンテンツをエキスポート中（コンテンツエキスポート３０８）に、ユーザはリモコンなどを操作し、リムーバブルメディア部１０８に蓄積中の映像コンテンツに対して、コンテンツ再生を指示する。ユーザ操作受付部１０７は、ユーザからのコンテンツ再生要求（コンテンツ再生指示３２０）を受け取る（ステップＳ２１０）。
【０１１６】
ユーザからのコンテンツ再生要求を受け付けたユーザ操作受付部１０７は、コンテンツ再生要求を制御部１０３に送信する。制御部１０３は、プログレッシブエキスポートを行う旨を鍵制御部１３１へ送信する。
【０１１７】
鍵制御部１３１は、鍵保存部１０５に保存しておいた、映像コンテンツに対応するコンテンツ鍵を鍵保存部１０５から取り出し、コンテンツ復号部１１４へ格納する（ステップＳ２１１）。
【０１１８】
そして、映像受信端末１３０は、リムーバブルメディア部１０８にエキスポート済みの映像コンテンツをリムーバブルメディア部１０８から読み出し（コンテンツ読み出し３２１）、コンテンツ復号部１１４へ送る。コンテンツ復号部１１４は、鍵制御部１３１によって格納されたコンテンツ鍵を使用し映像コンテンツを復号する。コンテンツ復号部１１４は、復号した映像コンテンツをコンテンツデコード部１１５へ送る。コンテンツデコード部１１５は、映像コンテンツの復号データをデコードし、表示部１０６にて表示する（コンテンツ再生３２２）（ステップＳ２１２）。
【０１１９】
映像コンテンツが最後までリムーバブルメディア部１０８にエキスポートされた場合、鍵制御部１３１は、リムーバブルメディア部１０８にコンテンツ鍵を書き込む（コンテンツ鍵書き込み３２３）とともに、鍵保存部１０５に保存させていたエキスポートライセンスを削除する（ステップＳ２１３）。コンテンツ鍵をリムーバブルメディア部１０８に書き込むことにより、他の再生端末でリムーバブルメディア部１０８内の映像コンテンツを再生することが可能になる。
【０１２０】
図１１（ａ）および図１１（ｂ）は、実施の形態２の映像受信端末１３０でプログレッシブエキスポートを実行する際の、プログレッシブエキスポート処理時およびエキスポート完了後における、エキスポートライセンス、コンテンツ鍵、および映像コンテンツの所在を示している。
【０１２１】
図１１（ａ）に示すように、プログレッシブエキスポート処理時には、ダウンロード中の映像コンテンツ１５１を順次リムーバブルメディア部１０８に記録していく。この際、映像コンテンツ１５１を再生するためのコンテンツ鍵１５２は、リムーバブルメディア部１０８へは記録されない。
【０１２２】
このとき、コンテンツ鍵１５２はリムーバブルメディア部１０８へ記録されていないので、リムーバブルメディア部１０８へのエキスポート処理が異常中断した場合に、そのエキスポート処理途中のリムーバブルメディア部１０８を他の再生端末に挿入しても、その再生端末ではリムーバブルメディア部１０８に記録途中であった映像コンテンツ１５１を再生できない。プログレッシブエキスポート処理中のリムーバブルメディア部１０８の映像コンテンツ１５１は他の再生端末では再生できないので、映像受信端末１３０は、プログレッシブエキスポート処理中には取得したエキスポートライセンス１５０を削除する必要がなく、鍵保存部１０５に保持している。
【０１２３】
そして、直接エキスポート処理を完了した後は、図１１（ｂ）に示すように、リムーバブルメディア部１０８に記録した映像コンテンツ１５１を他の再生端末でも再生できるようにするために、コンテンツ鍵１５２を記録するとともに、映像受信端末１３０の鍵保存部１０５に保存させていたエキスポートライセンス１５０を削除する。
【０１２４】
以上説明したように、実施の形態２の映像受信端末１３０は、プログレッシブエキスポート時に、映像コンテンツ１５１を再生するためのコンテンツ鍵１５２をリムーバブルメディア部１０８に書き込まずに、映像受信端末１３０内に保持しているコンテンツ鍵１５２を用いてリムーバブルメディア部１０８に蓄積中の映像コンテンツ１５１を再生するので、他の再生端末による再生を防止することが出来る。それにより、映像配信サーバ１２０より取得したエキスポートライセンス１５０の消費を行わなくてすむので、プログレッシブエキスポート処理が異常中断した場合でも、エキスポートライセンスを新たに取得することなくエキスポート処理を再開することが可能となる。
尚、上記実施の形態では、本発明のコンテンツ対象暗号鍵の一例であって、コンテンツ暗号化部１１１が用いる上記コンテンツ暗号用の鍵と、本発明のコンテンツ対象復号鍵の一例であって、リムーバブルメディア１０８に暗号化されて格納された映像コンテンツを復号する上記コンテンツ復号用の鍵とは、同じ鍵であるとして説明したが、これに限らず例えば、本発明のコンテンツ対象復号鍵の別の一例（映像コンテンツを復号する鍵）として、本発明のコンテンツ対象暗号鍵（上記コンテンツ暗号用の鍵）とは異なる、本発明のコンテンツ対象暗号鍵と予め定められた対応関係を有する復号鍵を用いても良い。
【産業上の利用可能性】
【０１２５】
本発明に係るコンテンツ受信端末およびエキスポート再生方法などは、映像コンテンツのプログレッシブエキスポート処理が異常中断しても、エキスポートライセンスを消費せずにエキスポート処理を継続できる効果を有し、映像コンテンツをリムーバブルメディアにエキスポートする機能を有するコンテンツ受信端末およびエキスポート再生方法などとして有用である。
【符号の説明】
【０１２６】
１００  映像受信端末
１０１  データ取得送信部
１０２  ネットワークＩ／Ｆ部
１０３  制御部
１０４  鍵制御部
１０５  鍵保存部
１０６  表示部
１０７  ユーザ操作受付部
１０８  リムーバブルメディア部
１０９  受信バッファ
１１０  受信コンテンツ復号部
１１１  コンテンツ暗号化部
１１２  コンテンツ鍵暗号化部
１１３  コンテンツ鍵復号部
１１４  コンテンツ復号部
１１５  コンテンツデコード部
１２０  映像配信サーバ
１３０  映像受信端末
１３１  鍵制御部
２００  映像受信端末
２０１  ＨＤＤ
２０２  ディスプレイ
２０３  リムーバブルメディア
２０５  映像受信端末
２０６  バッファ
３００  コンテンツエキスポート指示
３０１  エキスポートライセンス要求
３０２  ライセンス確認処理
３０３  エキスポートライセンス応答
３０４  コンテンツダウンロード要求
３０５  コンテンツダウンロード応答
３０６  コンテンツ鍵生成
３０７  コンテンツ暗号変換
３０８  コンテンツエキスポート
３０９  コンテンツ鍵書き込み
３１０  コンテンツ再生指示
３１１  コンテンツ鍵用暗号鍵生成
３１２  コンテンツ鍵暗号
３１３  暗号化コンテンツ鍵書き込み
３１４  暗号化コンテンツ鍵読み出し
３１５  コンテンツ鍵復号
３１６  コンテンツ読み出し
３１７  コンテンツ再生
３２０  コンテンツ再生指示
３２１  コンテンツ読み出し
３２２  コンテンツ再生
３２３  コンテンツ鍵書き込み
【図１】
0005412576.tif 000002
【図２】
0005412576.tif 000003
【図３】
0005412576.tif 000004
【図４】
0005412576.tif 000005
【図５】
0005412576.tif 000006
【図６】
0005412576.tif 000007
【図７】
0005412576.tif 000008
【図８】
0005412576.tif 000009
【図９】
0005412576.tif 000010
【図１０】
0005412576.tif 000011
【図１１】
0005412576.tif 000012
【図１２】
0005412576.tif 000013
【図１３】
0005412576.tif 000014
【図１４】
0005412576.tif 000015